(57)【要約】【課題】ユーザ端末に既存権利情報を新規権利情報で上書きする機能を設け、保持可能なコンテンツを割引料金でユーザに提供すること。【解決手段】コンテンツ配信サーバ３を備えるコンテンツプロバイダ１より、ユーザ端末１１が要求するコンテンツに関してデータ通信網１０を介して権利情報及びコンテンツを配信する。ユーザ端末１１は、コンテンツ配信サーバ３より配信される権利情報で、端末本体内の情報記憶領域１８の権利情報、又は端末本体に装着可能な情報記録場板２１内の権利情報を上書きする。このような権利情報の上書きを行うことを条件にし、様々なコンテンツサービスを割引料金でユーザに提供する。【選択図】図１
2005174180.tif 000002
【特許請求の範囲】
【請求項１】
デジタルデータで構成されるコンテンツを配信するコンテンツ配信サーバと、
有線及び無線の何れかの通信回線を用いてデータを送受信するデータ通信網と、
前記コンテンツの保持機能、及び前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、
前記電子機器端末本体又は前記電子機器端末本体に装着された情報記録媒体に格納されている前記権利情報を、新たに配信された権利情報で上書きすることを条件として、前記電子機器端末が無料又は割引料金で前記コンテンツを受信することを特徴とするコンテンツ配信方法。
【請求項２】
前記権利情報と前記権利情報に対するコンテンツとが同一の情報記録媒体に存在しないことを特徴とする請求項１に記載のコンテンツ配信方法。
【請求項３】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、
前記コンテンツ配信サーバから新規に購入するコンテンツに関するコンテンツ情報と特定の条件で実質的に同一と判断できるコンテンツの前記権利情報を、前記電子機器端末本体又は前記電子機器端末本体に装着された情報記録媒体から検索し、前記権利情報を新たに配信された権利情報で上書きすることを条件として、前記電子機器端末が無料又は割引料金で前記コンテンツ受信することを特徴とするコンテンツ配信方法。
【請求項４】
前記特定の条件は、コンテンツ配信業者を一意に特定できる情報が含まれることを特徴とする請求項３記載のコンテンツ配信方法。
【請求項５】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、
前記コンテンツ配信サーバから新規に購入するコンテンツに関する権利情報と、前記電子機器端末本体又は前記電子機器端末本体に装着された情報記録媒体に格納されている権利情報とに含まれるコンテンツの利用を制限する利用制限情報とが実質的に同一である場合に、前記権利情報を新たに配信された権利情報で上書きすることを条件として、前記電子機器端末が無料又は割引料金で前記コンテンツを受信することを特徴とするコンテンツ配信方法。
【請求項６】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、
新たに前記コンテンツに対する前記権利情報に含まれるコンテンツの利用を制限する利用制限情報のみを更新することで、課金に対する支払いを行うことを特徴とするコンテンツ配信方法。
【請求項７】
前記利用制限情報は、前記コンテンツのコピー可能なコピー回数又は前記コンテンツの移動可能な移動回数であることを特徴とする請求項５又は６記載のコンテンツ配信方法。
【請求項８】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、
前記コンテンツ配信サーバは、前記電子機器端末からのコンテンツ配信要求と過去の権利情報及びコンテンツの配信履歴とを検索し、新たに配信する権利情報で上書きの実施できる権利情報のリストを前記電子機器端末に送付し、
前記電子機器端末は、前記リストに挙げられている前記権利情報を上書きすることを条件として、無料又は割引料金で前記コンテンツ受信することを特徴とするコンテンツ配信方法。
【請求項９】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、
前記電子機器端末本体又は前記電子機器端末本体に装着された情報記録媒体において、新規に権利情報及びコンテンツを書き込むための領域が不足している場合で、且つ、１つ以上の権利情報が存在する場合に、前記電子機器端末本体又は前記情報記録媒体に格納されている前記権利情報を新たに配信された権利情報で上書きすることを条件として、前記電子機器端末が無料又は割引料金で前記コンテンツを受信することを特徴とするコンテンツ配信方法。
【請求項１０】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、
前回の権利情報の配信時刻から見て所定の設定時間内であれば、前記電子機器端末本体又は前記電子機器端末本体に装着された情報記録媒体に格納されている前記権利情報を、新たに配信された権利情報で上書きすることを条件として、前記電子機器端末が無料又は割引料金で前記コンテンツ受信することを特徴とするコンテンツ配信方法。
【請求項１１】
前記所定の設定時間とは、
前記コンテンツ配信サーバより配信される時間情報と、前記権利情報に格納されている時間情報との比較により算出される値であることを特徴とする請求項１０記載のコンテンツ配信方法。
【請求項１２】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、
前回の権利情報の配信時から見て所定の回数内であれば、前記電子機器端末本体又は前記電子機器端末本体に装着された情報記録媒体に格納されている前記権利情報を、新たに配信された権利情報で上書きすることを条件として、前記電子機器端末が無料又は割引料金で前記コンテンツ受信することを特徴とするコンテンツ配信方法。
【請求項１３】
前記コンテンツ配信サーバは、
前記電子機器端末本体又は前記情報記録媒体に格納されている前記権利情報が、前記コンテンツ配信サーバより配信された日時情報を含むとき、前記コンテンツの割引料金を前記日時情報に基づいて決定することを特徴とする請求項１、３、５、８、９の何れか１項記載のコンテンツ配信方法。
【請求項１４】
前記コンテンツ配信サーバは、
前記電子機器端末本体又は前記情報記録媒体に格納されている前記権利情報を、新たに配信された権利情報で上書きすることを条件として、各種ポイントサービスや各種クーポン情報を前記電子機器端末に対して提供することを特徴とする請求項１、３、５、８、９の何れか１項記載のコンテンツ配信方法。
【請求項１５】
前記コンテンツ配信サーバは、
前記電子機器端末本体又は前記情報記録媒体に格納されている前記権利情報を、新たに配信された権利情報で上書きすることを条件として、各種ポイントサービスや各種クーポン情報を前記電子機器端末に対して提供する場合、
前記電子機器端末本体又は前記情報記録媒体に格納されている前記権利情報が、前記コンテンツ配信サーバより配信された日時情報を含むとき、前記各種ポイントサービスや各種クーポン情報の提供は前記日時情報に基づいて決定することを特徴とする請求項１、３、５、８、９の何れか１項記載のコンテンツ配信方法。
【請求項１６】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、
前記電子機器端末本体又は前記電子機器端末本体に装着された情報記録媒体に格納されている前記権利情報を、新たに配信された権利情報で上書きすることを条件として、前記コンテンツ配信サーバの課金情報処理部が無料処理又は割引料金処理を行い、前記コンテンツ配信サーバが前記コンテンツを前記電子機器端末に配信することを特徴とするコンテンツ配信システム。
【請求項１７】
前記権利情報と前記権利情報に対するコンテンツを、同一の情報記録媒体に記録しないことを特徴とする請求項１６記載のコンテンツ配信システム。
【請求項１８】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、
前記電子機器端末は、ユーザの指示により前記コンテンツ配信サーバから新規に購入するコンテンツに関するコンテンツ情報と、特定の条件で実質的に同一と判断できるコンテンツの権利情報を、前記電子機器端末本体又は電子機器端末本体に装着された情報記録媒体から検索し、
前記電子機器端末内の権利情報上書処理部が、検索された前記権利情報を新たに配信された権利情報で上書きするに際し、新たに配信された前記権利情報で既存の前記権利情報の上書きを行うことを条件として、前記コンテンツ配信サーバの課金情報処理部が無料処理又は割引料金処理を行い、前記コンテンツ配信サーバが前記コンテンツを前記電子機器端末に配信することを特徴とするコンテンツ配信システム。
【請求項１９】
前記特定の条件とは、コンテンツ配信業者を一意に特定できる情報を含む場合に適応されることを特徴とする請求項１８に記載のコンテンツ配信システム。
【請求項２０】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、
前記電子機器端末は、
前記コンテンツ配信サーバから新規に購入する前記コンテンツに関する権利情報に含まれる利用制限情報と、前記電子機器端末本体又は前記電子機器端末本体に装着された情報記録媒体に格納されている前記権利情報に含まれる前記コンテンツの利用制限情報とが同一であることを検索し、前記利用制限情報が同一である場合に前記権利情報を新たに配信された権利情報で上書きする権利情報上書処理部を有し、
前記コンテンツ配信サーバは、
新たに配信された前記権利情報で既存の前記権利情報の上書きを行うことを条件として、前記コンテンツ配信サーバの課金情報処理部が無料処理又は割引料金処理を行い、前記コンテンツを前記電子機器端末に配信することを特徴とするコンテンツ配信システム。
【請求項２１】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、
前記電子機器端末は、
前記電子機器端末本体又は前記電子機器端末本体に装着された情報記録媒体に格納される前記権利情報に含まれ、前記コンテンツの利用を制限する利用制限情報を書き換える権利情報上書処理部を有し、
前記コンテンツ配信サーバは、
新たに配信された前記利用制限情報で既存の利用制限情報の上書きを行うことを条件として、前記コンテンツ配信サーバの課金情報処理部が前記コンテンツに対して課金処理を実行することを特徴とするコンテンツ配信システム。
【請求項２２】
前記利用制限情報は、
該当コンテンツのコピー可能なコピー回数、又は該当コンテンツの移動可能な移動回数であることを特徴とする請求項２０又は２１記載のコンテンツ配信システム。
【請求項２３】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、
前記コンテンツ配信サーバは、
前記電子機器端末からのコンテンツ配信要求に基づいて過去に配信した権利情報及びコンテンツの配信履歴を保持する配信履歴データベースと、
前記配信履歴データベースを検索し、新たな前記権利情報で上書きが実施できる前記権利情報のリストを検索する権利情報生成部とを有し、
前記電子機器端末は、
前記コンテンツ配信サーバが配信した前記検索結果のリストを受信し、受信した前記権利情報のリストに挙げられている該当権利情報を、前記電子機器端末本体又は前記電子機器端末本体に装着された情報記録媒体に格納されている権利情報から検索し、検索した前記権利情報を新たに配信された権利情報で上書きする権利情報上書処理部を有し、
前記コンテンツ配信サーバの課金情報処理部が、新たに配信された前記権利情報で前記権利情報の上書きを行うことを条件として、無料処理又は割引料金処理を行い、前記コンテンツを前記電子機器端末に配信することを特徴とするコンテンツ配信システム。
【請求項２４】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、
前記電子機器端末は、
前記電子機器端末本体又は前記電子機器端末本体に装着された情報記録媒体において、新たに配信された権利情報及びコンテンツを書き込む領域が不足していることを検出した場合、前記電子機器端本体又は前記情報記録媒体に格納されている既存権利情報を、新たに配信された前記権利情報で上書きする権利情報上書処理部を有し、
前記コンテンツ配信サーバは、
前記権利情報を新たに配信された権利情報で上書きを行うことを条件として、前記コンテンツ配信サーバの課金情報処理部が無料処理又は割引料金処理を行い、前記コンテンツを前記電子機器端末に送信することを特徴とするコンテンツ配信システム。
【請求項２５】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、
前記電子機器端末は、
前記電子機器端末本体又は前記電子機器端末本体に装着された情報記録媒体に格納されている前記権利情報を、新たに配信された権利情報で上書きする権利情報上書処理部を有し、
コンテンツ配信サーバは、
前回の権利情報の配信時刻から見て所定の設定時間以内であるか否かを判定し、前記所定の設定時間以内であれば、前記権利情報を新たに配信された権利情報で上書きすることを条件として、前記コンテンツ配信サーバの課金情報処理部が無料処理又は割引料金処理を行い、前記コンテンツを前記電子機器端末に配信することを特徴とするコンテンツ配信システム。
【請求項２６】
前記所定の設定時間とは、
前記コンテンツ配信サーバより配信される時間情報と、前記権利情報に格納されている時間情報との比較により算出される値であることを特徴とする請求項２５記載のコンテンツ配信システム。
【請求項２７】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、
前記電子機器端末は、
前記電子機器端末本体又は前記電子機器端末本体に装着された情報記録媒体に格納されている前記権利情報を、新たに配信された権利情報で上書きする権利情報上書処理部を有し、
コンテンツ配信サーバは、
前回の権利情報の配信時から見て所定の回数以内であるか否かを判定し、前記所定の回数以内であれば、前記権利情報上書処理部が前記権利情報を、新たに配信された権利情報で上書きすることを条件として、前記コンテンツ配信サーバの課金情報処理部が無料処理又は割引料金処理を行い、前記コンテンツを前記電子機器端末に配信することを特徴とするコンテンツ配信システム。
【請求項２８】
前記コンテンツの割引料金は、
前記電子機器端末本体又は前記情報記録媒体に格納されている前記権利情報が前記コンテンツ配信サーバより配信されるとき、その日時情報を用いて決定されることを特徴とする請求項１６、１８、２０、２３、２５の何れか１項記載のコンテンツ配信システム。
【請求項２９】
前記電子機器端末が新たに配信された権利情報で上書きすることを条件として、前記コンテンツ配信サーバの課金情報処理部は、各種ポイントサービスや各種クーポン情報の提供処理を行うことを特徴とする請求項１６、１８、２０、２３、２４の何れか１項記載のコンテンツ配信システム。
【請求項３０】
前記コンテンツ配信サーバの課金情報処理部は、
前記電子機器端末が新たに配信された権利情報で上書きすることを条件として、前記電子機器端末本体又は前記情報記録媒体に格納されている前記権利情報が、コンテンツサーバより配信された日時情報を含む場合、前記日時情報に基づいて各種ポイントサービスや各種クーポン情報を前記電子機器端末に対して提供することを特徴とする請求項１６、１８、２０、２３、２４の何れか１項記載のコンテンツ配信システム。
【請求項３１】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、
前記電子機器端末本体又は前記電子機器端末本体に装着された情報記録媒体に保持されている権利情報を、前記コンテンツ配信サーバから新たに配信された権利情報で上書きする権利情報上書処理部と、
新たに配信された前記権利情報で既存の前記権利情報の上書きを行った結果を前記コンテンツ配信サーバに送信する端末通信処理部とを有し、
上書きの場合は無料又は割引料金によって前記コンテンツを受信することを特徴とする電子機器端末。
【請求項３２】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、
前記コンテンツ配信サーバから受信するコンテンツ情報と特定の条件で実質的に同一と判断できるコンテンツの前記権利情報を検索し、検索された前記権利情報を新たに配信された権利情報で上書きする権利情報上書処理部と、
新たに配信された前記権利情報で既存の前記権利情報の上書きを行った結果を前記コンテンツ配信サーバに送信する端末通信処理部とを有し、
上書きの場合は無料又は割引料金によって前記コンテンツを受信することを特徴とする電子機器端末。
【請求項３３】
前記権利情報上書処理部は、コンテンツ配信業者を一意に特定できる情報を用いて、前記コンテンツの前記権利情報を検索することを特徴とする請求項３２記載の電子機端末。
【請求項３４】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、
前記コンテンツ配信サーバから購入するコンテンツに関する権利情報に含まれる利用制限情報と、既存の前記権利情報に含まれる利用制限情報とが同一であることを検索し、前記利用制限情報が同一である前記権利情報を新たに配信された権利情報で上書きする権利情報上書処理部と、
新たに配信された前記権利情報で既存の前記権利情報の上書きを行った結果を前記コンテンツ配信サーバに送信する端末通信処理部とを有し、
上書きの場合は無料又は割引料金によって前記コンテンツを受信することを特徴とする電子機器端末。
【請求項３５】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、
前記コンテンツ配信サーバから受信された既存の前記権利情報に含まれ、前記コンテンツの利用を制限する利用制限情報を、新たに配信された権利情報に含まれる利用制限情報で上書きする権利情報上書処理部と、
新たに配信された前記権利情報で既存の前記権利情報の上書きを行った結果を、前記コンテンツ配信サーバに送信する端末通信処理部とを有することを特徴とする電子機器端末。
【請求項３６】
前記利用制限情報とは、
前記コンテンツのコピー可能なコピー回数、又は前記コンテンツの移動可能な移動回数であることを特徴とする請求項３４又は３５記載の電子機器端末。
【請求項３７】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、
前記電子機器端末は、
前記電子機器端末本体又は前記電子機器端末本体に装着されている情報記録媒体に格納されている権利情報を検索し、前記コンテンツ配信サーバから受信するコンテンツの権利情報と一致するものが存在する場合、検索された権利情報を新たに配信された利用制限情報を含む権利情報で上書きする権利情報上書き処理部と、
新たに配信された前記権利情報で既存の前記権利情報の上書きを行った結果を前記コンテンツ配信サーバに送信する端末通信処理部とを有し、
上書きの場合は無料又は割引料金によって前記コンテンツを受信することを特徴とする電子機器端末。
【請求項３８】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、
前記電子機器端末は、
前記電子機器端末本体又は前記電子機器端末本体に装着されている情報記録媒体に新たに配信された権利情報及びコンテンツを書き込む領域が不足していることを検出した場合に、既存の前記権利情報を新たに配信された利用制限情報を含む権利情報で上書きする権利情報上書処理部と、
新たに配信された前記権利情報で既存の前記権利情報の上書きを行った結果を前記コンテンツ配信サーバに送信する端末通信処理部とを有し、
上書きの場合は無料又は割引料金によって前記コンテンツを受信することを特徴とする電子機器端末。
【請求項３９】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、
前記電子機器端末は、
前回の権利情報の配信時刻から見て所定の時間以内であるか否かを判定し、所定の時間以内であれば、前記電子機器端末本体又は前記電子機器端末本体に装着されている情報記録媒体に保持されている前記権利情報を、新たに配信された利用制限情報で上書きする権利情報上書き処理部と、
新たに配信された前記権利情報で既存の前記権利情報の上書きを行った結果を送信する端末通信処理部とを有し、
上書きの場合は無料又は割引料金によって前記コンテンツを受信することを特徴とする電子機器端末。
【請求項４０】
前記権利情報上書処理部は、
前記コンテンツ配信サーバより配信される時間情報と、前記電子機器端末本体又は前記情報記録媒体に格納されている前記権利情報に含まれる時間情報との比較によって、所定の時間以内であるか否かの判定を行うことを特徴とする請求項３９記載の電子機器端末。
【請求項４１】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、
前記電子機器端末は、
前回の権利情報の配信時から見て所定の回数以内であるか否かを判定し、所定の回数以内であれば、前記電子機器端末本体又は前記電子機器端末本体に装着されている情報記録媒体に保持されている前記権利情報を、新たに配信された利用制限情報で上書きする権利情報上書き処理部と、
新たに配信された前記権利情報で既存の前記権利情報の上書きを行った結果を送信する端末通信処理部とを有し、
上書きの場合は無料又は割引料金によって前記コンテンツを受信することを特徴とする電子機器端末。
【請求項４２】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信サーバであって、
コンテンツ配信サーバは、
前記電子機器端末のユーザに対して課金処理を行う課金情報処理部を有し、
前記課金情報処理部は、前記電子機端末から前記権利情報の上書きを行った結果を受信することに伴い、無料処理又は割引料金処理を行うことを特徴とするコンテンツ配信サーバ。
【請求項４３】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信サーバであって、
前記コンテンツ配信サーバは、
配信コンテンツに対する課金処理を行う課金情報処理部と、
前記コンテンツの配信履歴を保持する配信履歴データベースと、
前記コンテンツの権利情報を作成する権利情報生成部と、
前記電子機器端末にコンテンツ及び権利情報を含むデータを送信するサーバ通信処理部とを有し、
前記権利権利情報生成部は、前記配信履歴を用いて前記電子機器端末が保持する権利情報のうち新しい権利情報で上書きできる権利情報を検索し、前記サーバ通信処理部を介して前記電子機器端末に検索結果を送付し、前記課金情報処理部は前記電子機端末から前記権利情報の上書きを行った結果を受信することに伴い、無料処理又は割引料金処理を行うことを特徴とするコンテンツ配信サーバ。
【請求項４４】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信サーバであって、
前記コンテンツ配信サーバは、
配信コンテンツに対する課金処理を行う課金情報処理部と、
前記コンテンツの権利情報を作成する権利情報生成部と、
前記電子機器端末にコンテンツ及び権利情報を含むデータを送信するサーバ通信処理部とを有し、
前記権利情報生成部は、前記権利情報に含まれる前記コンテンツの利用を制限する利用制限情報を、前記サーバ通信処理部を介して前記電子機器端末に送付し、前記課金情報処理部は、前記電子機端末から前記利用制限情報の上書きを行った結果を受信することに伴い、課金処理を行うことを特徴とするコンテンツ配信サーバ。
【請求項４５】
前記コンテンツ配信サーバが配信する利用制限情報は、前記コンテンツのコピー可能なコピー回数又は前記コンテンツの移動可能な移動回数であることを特徴とする請求項４４に記載コンテンツ配信サーバ。
【請求項４６】
デジタルデータで構成されるコンテンツを配信するコンテンツ配信サーバと、
有線及び無線の何れかの通信回線を用いてデータを送受信するデータ通信網と、
前記コンテンツの保持機能、前記コンテンツに対する利用制限又は暗号鍵の情報を含む権利情報の保持機能を有する電子機器端末とを具備し、
前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信サーバであって、
前記コンテンツ配信サーバは、
配信コンテンツに対する課金処理を行う課金情報処理部と、
前記コンテンツの権利情報を作成する権利情報生成部と、
前記電子機器端末にコンテンツ及び権利情報を含むデータを送信するサーバ通信処理部とを有し、
前記権利情報生成部は、前記権利情報に所定の時間情報を含めた利用制限情報を生成し、前記サーバ通信処理部を介して前記電子機器端末に送付し、前記課金情報処理部は前記電子機器端末から前記利用制限情報の上書きを行った結果を受信することに伴い、無料処理又は割引料金処理を行うことを特徴とするコンテンツ配信サーバ。
【請求項４７】
前記課金情報処理部は、
前記電子機器端末から前記権利情報の上書きを行った結果を受信することに伴い、各種ポイントサービス又は各種クーポン情報を提供する処理を行うことを特徴とする請求項４２、４３、４４、４６のいずれか１項記載のコンテンツ配信サーバ。
【発明の詳細な説明】
【技術分野】
【０００１】
本発明は、各種デジタルコンテンツ及びそのデジタルコンテンツに付随する権利情報が、有線及び無線のいずれかの通信網を介してユーザの端末本体又は端末本体に挿入可能な情報記録媒体に配信されるコンテンツ配信方法、コンテンツ配信システム、電子機器端末、及びコンテンツ配信サーバに関するものである。
【背景技術】
【０００２】
インターネットに接続されたパーソナルコンピュータ（ＰＣ）を使用した音楽データの配信や、携帯電話やＰＨＳ事業を運営している各通信会社による携帯電話やＰＨＳへの音楽、ビデオ、書籍、アプリケーション（ゲーム等）等の各種コンテンツ配信などが行われている。このような有線、無線の通信網を介した各種コンテンツの配信は今後一層普及するものと思われる。このようなコンテンツの配信においては、コンテンツがデジタルデータとして配信されるため、特に音楽、ビデオ、書籍、アプリケーション（ゲーム等）で著作権を有するコンテンツは、不正なコピーによる著作権の侵害が問題となっていた。
【０００３】
上記の問題に対応したコンテンツ配信を実現するために、例えば、音楽コンテンツの配信では次のようなシステムが用いられる。ユーザは、ＰＣ上から不正な改竄を防止する技術である耐タンパ化されたモジュールを組み込んだ専用ソフトウェアを使用して、コンテンツプロバイダから音楽コンテンツの配信を受ける。このとき、暗号化処理などを施したセキュアな経路を介して、コンテンツ及びそのコンテンツの利用条件を含んだ権利情報を受信する。受信したコンテンツ及び権利情報は、ＰＣ内のハードディスクに不正にコピーが行われない状態で保存される。このようにして配信されたコンテンツに対して、ユーザはクレジット決済等を介してコンテンツプロバイダに対価を支払う。
【０００４】
また、さらにＰＣ内のハードディスクに保存されたコンテンツや権利情報は、高度な著作権保護機能を有する半導体記録媒体に書き込まれる。例えばＳＤメモリカードや、ｍｉｎｉＳＤメモリカード等の情報記録媒体に対して専用ソフトウェアを用いて書き込むことで、コンテンツの著作権を保護しながら記録媒体を自由に持ち出し、携帯音楽プレーヤで再生することも可能となっている。
【０００５】
こういった音楽コンテンツ等のコンテンツの配信においては、コンテンツであるデータのみに対価を支払うビジネスモデルが一般的であり、店舗でＣＤやＤＶＤを販売しているようなＲＯＭ媒体までも販売するものではない。そのため、ユーザは不必要になったコンテンツに対しては、データの消去のみを行えばよく、ＣＤやＤＶＤなどの情報記録媒体の廃棄は必要なかった。つまり、コンテンツ配信を受信できる環境にあれば、必要な場合にはコンテンツを即時に入手しやすく、不必要となった場合にはコンテンツを即時に廃棄しやすい。
【０００６】
一方では、コンテンツが格納されたＣＤやＤＶＤ等の媒体を店舗等で購入した場合には、不必要となった際に中古買い取り店等に持ち込むことによって、情報記録媒体をコンテンツ込みで売却することができる。つまり、中古品の売却によって不必要になったコンテンツの対価をユーザが受け取ることができる。これに対して、コンテンツ配信により配信されたデジタルデータのみを売却することが可能なシステムは一般的には普及していない。
【０００７】
このような問題に対して、例えば特許文献１にはデータ権利買い取り販売装置（以下、返金装置という）が提案されている。ここではユーザが、権利情報及びコンテンツが格納された情報記録媒体を返金装置に装着し、権利情報及びコンテンツを削除することによって、削除した権利情報に応じた返金を受けることができるようになっている。
【特許文献１】特開２００２−１２３７００号公報
【発明の開示】
【発明が解決しようとする課題】
【０００８】
デジタルデータの権利情報の削除に対する返金装置が設置された場合には、コンテンツが格納されたＣＤやＤＶＤ等の媒体を中古買い取り店に持ち込むことによって売却金を得る場合と同様に、取得したコンテンツ及び権利情報に対して返金を受けることが可能となる。しかし、このような返金の形態では、従来のコンテンツが格納されたＣＤやＤＶＤの販売の際にユーザが享受するサービスを実現できたに過ぎない。このシステムでは、権利情報を伴ったデジタルデータの配信形態の特徴を生かしたサービス、即ちユーザやコンテンツ配信業者にとって有益となり、従来のＣＤやＤＶＤの販売形態にはないより柔軟なサービスの提供方法は実現されていなかった。
【０００９】
本発明はこのような従来の問題点に鑑みてなされたものであって、ユーザ端末に既存権利情報を新規権利情報で上書きする機能を設け、保持可能なコンテンツの権利情報を制御し、権利情報の上書きを行う条件では様々なコンテンツサービスを割引料金でユーザに提供することを目的とする。
【課題を解決するための手段】
【００１０】
本発明は、デジタルデータで構成されるコンテンツを配信するコンテンツ配信サーバと、有線及び無線の何れかの通信回線を用いてデータを送受信するデータ通信網と、前記コンテンツの保持機能、及び前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、前記電子機器端末本体又は前記電子機器端末本体に装着された情報記録媒体に格納されている前記権利情報を、新たに配信された権利情報で上書きすることを条件として、前記電子機器端末が無料又は割引料金で前記コンテンツを受信することを特徴とする。
【００１１】
ここで前記権利情報と前記権利情報に対するコンテンツとが同一の情報記録媒体に存在しないようにしてもよい。
【００１２】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、前記コンテンツ配信サーバから新規に購入するコンテンツに関するコンテンツ情報と特定の条件で実質的に同一と判断できるコンテンツの前記権利情報を、前記電子機器端末本体又は前記電子機器端末本体に装着された情報記録媒体から検索し、前記権利情報を新たに配信された権利情報で上書きすることを条件として、前記電子機器端末が無料又は割引料金で前記コンテンツ受信することを特徴とする。
【００１３】
ここで前記特定の条件は、コンテンツ配信業者を一意に特定できる情報が含まれるようにしてもよい。
【００１４】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、前記コンテンツ配信サーバから新規に購入するコンテンツに関する権利情報と、前記電子機器端末本体又は前記電子機器端末本体に装着された情報記録媒体に格納されている権利情報とに含まれるコンテンツの利用を制限する利用制限情報とが実質的に同一である場合に、前記権利情報を新たに配信された権利情報で上書きすることを条件として、前記電子機器端末が無料又は割引料金で前記コンテンツを受信することを特徴とする。
【００１５】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、新たに前記コンテンツに対する前記権利情報に含まれるコンテンツの利用を制限する利用制限情報のみを更新することで、課金に対する支払いを行うことを特徴とする。
【００１６】
ここで前記利用制限情報は、前記コンテンツのコピー可能なコピー回数又は前記コンテンツの移動可能な移動回数であるようにしてもよい。
【００１７】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、前記コンテンツ配信サーバは、前記電子機器端末からのコンテンツ配信要求と過去の権利情報及びコンテンツの配信履歴とを検索し、新たに配信する権利情報で上書きの実施できる権利情報のリストを前記電子機器端末に送付し、前記電子機器端末は、前記リストに挙げられている前記権利情報を上書きすることを条件として、無料又は割引料金で前記コンテンツ受信することを特徴とする。
【００１８】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、前記電子機器端末本体又は前記電子機器端末本体に装着された情報記録媒体において、新規に権利情報及びコンテンツを書き込むための領域が不足している場合で、且つ、１つ以上の権利情報が存在する場合に、前記電子機器端末本体又は前記情報記録媒体に格納されている前記権利情報を新たに配信された権利情報で上書きすることを条件として、前記電子機器端末が無料又は割引料金で前記コンテンツを受信することを特徴とする。
【００１９】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、前回の権利情報の配信時刻から見て所定の設定時間内であれば、前記電子機器端末本体又は前記電子機器端末本体に装着された情報記録媒体に格納されている前記権利情報を、新たに配信された権利情報で上書きすることを条件として、前記電子機器端末が無料又は割引料金で前記コンテンツ受信することを特徴とする。
【００２０】
ここで前記所定の設定時間とは、前記コンテンツ配信サーバより配信される時間情報と、前記権利情報に格納されている時間情報との比較により算出される値であるようにしてもよい。
【００２１】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信方法であって、前回の権利情報の配信時から見て所定の回数内であれば、前記電子機器端末本体又は前記電子機器端末本体に装着された情報記録媒体に格納されている前記権利情報を、新たに配信された権利情報で上書きすることを条件として、前記電子機器端末が無料又は割引料金で前記コンテンツ受信することを特徴とする。
【００２２】
ここで前記コンテンツ配信サーバは、前記電子機器端末本体又は前記情報記録媒体に格納されている前記権利情報が、前記コンテンツ配信サーバより配信された日時情報を含むとき、前記コンテンツの割引料金を前記日時情報に基づいて決定するようにしてもよい。
【００２３】
ここで前記コンテンツ配信サーバは、前記電子機器端末本体又は前記情報記録媒体に格納されている前記権利情報を、新たに配信された権利情報で上書きすることを条件として、各種ポイントサービスや各種クーポン情報を前記電子機器端末に対して提供するようにしてもよい。
【００２４】
ここで前記コンテンツ配信サーバは、前記電子機器端末本体又は前記情報記録媒体に格納されている前記権利情報を、新たに配信された権利情報で上書きすることを条件として、各種ポイントサービスや各種クーポン情報を前記電子機器端末に対して提供する場合、前記電子機器端末本体又は前記情報記録媒体に格納されている前記権利情報が、前記コンテンツ配信サーバより配信された日時情報を含むとき、前記各種ポイントサービスや各種クーポン情報の提供は前記日時情報に基づいて決定するようにしてもよい。
【００２５】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、前記電子機器端末本体又は前記電子機器端末本体に装着された情報記録媒体に格納されている前記権利情報を、新たに配信された権利情報で上書きすることを条件として、前記コンテンツ配信サーバの課金情報処理部が無料処理又は割引料金処理を行い、前記コンテンツ配信サーバが前記コンテンツを前記電子機器端末に配信することを特徴とする。
【００２６】
ここで前記権利情報と前記権利情報に対するコンテンツを、同一の情報記録媒体に記録しないようにしてもよい。
【００２７】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、前記電子機器端末は、ユーザの指示により前記コンテンツ配信サーバから新規に購入するコンテンツに関するコンテンツ情報と、特定の条件で実質的に同一と判断できるコンテンツの権利情報を、前記電子機器端末本体又は電子機器端末本体に装着された情報記録媒体から検索し、前記電子機器端末内の権利情報上書処理部が、検索された前記権利情報を新たに配信された権利情報で上書きするに際し、新たに配信された前記権利情報で既存の前記権利情報の上書きを行うことを条件として、前記コンテンツ配信サーバの課金情報処理部が無料処理又は割引料金処理を行い、前記コンテンツ配信サーバが前記コンテンツを前記電子機器端末に配信することを特徴とする。
【００２８】
ここで前記特定の条件とは、コンテンツ配信業者を一意に特定できる情報を含む場合に適応されるようにしてもよい。
【００２９】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、前記電子機器端末は、前記コンテンツ配信サーバから新規に購入する前記コンテンツに関する権利情報に含まれる利用制限情報と、前記電子機器端末本体又は前記電子機器端末本体に装着された情報記録媒体に格納されている前記権利情報に含まれる前記コンテンツの利用制限情報とが同一であることを検索し、前記利用制限情報が同一である場合に前記権利情報を新たに配信された権利情報で上書きする権利情報上書処理部を有し、前記コンテンツ配信サーバは、新たに配信された前記権利情報で既存の前記権利情報の上書きを行うことを条件として、前記コンテンツ配信サーバの課金情報処理部が無料処理又は割引料金処理を行い、前記コンテンツを前記電子機器端末に配信することを特徴とする。
【００３０】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、前記電子機器端末は、前記電子機器端末本体又は前記電子機器端末本体に装着された情報記録媒体に格納される前記権利情報に含まれ、前記コンテンツの利用を制限する利用制限情報を書き換える権利情報上書処理部を有し、前記コンテンツ配信サーバは、新たに配信された前記利用制限情報で既存の利用制限情報の上書きを行うことを条件として、前記コンテンツ配信サーバの課金情報処理部が前記コンテンツに対して課金処理を実行することを特徴とする。
【００３１】
ここで前記利用制限情報は、該当コンテンツのコピー可能なコピー回数、又は該当コンテンツの移動可能な移動回数であるようにしてもよい。
【００３２】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、前記コンテンツ配信サーバは、前記電子機器端末からのコンテンツ配信要求に基づいて過去に配信した権利情報及びコンテンツの配信履歴を保持する配信履歴データベースと、前記配信履歴データベースを検索し、新たな前記権利情報で上書きが実施できる前記権利情報のリストを検索する権利情報生成部とを有し、前記電子機器端末は、前記コンテンツ配信サーバが配信した前記検索結果のリストを受信し、受信した前記権利情報のリストに挙げられている該当権利情報を、前記電子機器端末本体又は前記電子機器端末本体に装着された情報記録媒体に格納されている権利情報から検索し、検索した前記権利情報を新たに配信された権利情報で上書きする権利情報上書処理部を有し、前記コンテンツ配信サーバの課金情報処理部が、新たに配信された前記権利情報で前記権利情報の上書きを行うことを条件として、無料処理又は割引料金処理を行い、前記コンテンツを前記電子機器端末に配信することを特徴とする。
【００３３】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、前記電子機器端末は、前記電子機器端末本体又は前記電子機器端末本体に装着された情報記録媒体において、新たに配信された権利情報及びコンテンツを書き込む領域が不足していることを検出した場合、前記電子機器端本体又は前記情報記録媒体に格納されている既存権利情報を、新たに配信された前記権利情報で上書きする権利情報上書処理部を有し、前記コンテンツ配信サーバは、前記権利情報を新たに配信された権利情報で上書きを行うことを条件として、前記コンテンツ配信サーバの課金情報処理部が無料処理又は割引料金処理を行い、前記コンテンツを前記電子機器端末に送信することを特徴とする。
【００３４】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、前記電子機器端末は、前記電子機器端末本体又は前記電子機器端末本体に装着された情報記録媒体に格納されている前記権利情報を、新たに配信された権利情報で上書きする権利情報上書処理部を有し、コンテンツ配信サーバは、前回の権利情報の配信時刻から見て所定の設定時間以内であるか否かを判定し、前記所定の設定時間以内であれば、前記権利情報を新たに配信された権利情報で上書きすることを条件として、前記コンテンツ配信サーバの課金情報処理部が無料処理又は割引料金処理を行い、前記コンテンツを前記電子機器端末に配信することを特徴とする。
【００３５】
ここで前記所定の設定時間とは、前記コンテンツ配信サーバより配信される時間情報と、前記権利情報に格納されている時間情報との比較により算出される値であるようにしてもよい。
【００３６】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムであって、前記電子機器端末は、前記電子機器端末本体又は前記電子機器端末本体に装着された情報記録媒体に格納されている前記権利情報を、新たに配信された権利情報で上書きする権利情報上書処理部を有し、コンテンツ配信サーバは、前回の権利情報の配信時から見て所定の回数以内であるか否かを判定し、前記所定の回数以内であれば、前記権利情報上書処理部が前記権利情報を、新たに配信された権利情報で上書きすることを条件として、前記コンテンツ配信サーバの課金情報処理部が無料処理又は割引料金処理を行い、前記コンテンツを前記電子機器端末に配信することを特徴とする。
【００３７】
ここで前記コンテンツの割引料金は、前記電子機器端末本体又は前記情報記録媒体に格納されている前記権利情報が前記コンテンツ配信サーバより配信されるとき、その日時情報を用いて決定されるようにしてもよい。
【００３８】
ここで前記電子機器端末が新たに配信された権利情報で上書きすることを条件として、前記コンテンツ配信サーバの課金情報処理部は、各種ポイントサービスや各種クーポン情報の提供処理を行うようにしてもよい。
【００３９】
ここで前記コンテンツ配信サーバの課金情報処理部は、前記電子機器端末が新たに配信された権利情報で上書きすることを条件として、前記電子機器端末本体又は前記情報記録媒体に格納されている前記権利情報が、コンテンツサーバより配信された日時情報を含む場合、前記日時情報に基づいて各種ポイントサービスや各種クーポン情報を前記電子機器端末に対して提供するようにしてもよい。
【００４０】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、前記電子機器端末本体又は前記電子機器端末本体に装着された情報記録媒体に保持されている権利情報を、前記コンテンツ配信サーバから新たに配信された権利情報で上書きする権利情報上書処理部と、新たに配信された前記権利情報で既存の前記権利情報の上書きを行った結果を前記コンテンツ配信サーバに送信する端末通信処理部とを有し、上書きの場合は無料又は割引料金によって前記コンテンツを受信することを特徴とする。
【００４１】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、前記コンテンツ配信サーバから受信するコンテンツ情報と特定の条件で実質的に同一と判断できるコンテンツの前記権利情報を検索し、検索された前記権利情報を新たに配信された権利情報で上書きする権利情報上書処理部と、新たに配信された前記権利情報で既存の前記権利情報の上書きを行った結果を前記コンテンツ配信サーバに送信する端末通信処理部とを有し、上書きの場合は無料又は割引料金によって前記コンテンツを受信することを特徴とする。
【００４２】
ここで前記権利情報上書処理部は、コンテンツ配信業者を一意に特定できる情報を用いて、前記コンテンツの前記権利情報を検索するようにしてもよい。
【００４３】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、前記コンテンツ配信サーバから購入するコンテンツに関する権利情報に含まれる利用制限情報と、既存の前記権利情報に含まれる利用制限情報とが同一であることを検索し、前記利用制限情報が同一である前記権利情報を新たに配信された権利情報で上書きする権利情報上書処理部と、新たに配信された前記権利情報で既存の前記権利情報の上書きを行った結果を前記コンテンツ配信サーバに送信する端末通信処理部とを有し、上書きの場合は無料又は割引料金によって前記コンテンツを受信することを特徴とする。
【００４４】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、前記コンテンツ配信サーバから受信された既存の前記権利情報に含まれ、前記コンテンツの利用を制限する利用制限情報を、新たに配信された権利情報に含まれる利用制限情報で上書きする権利情報上書処理部と、新たに配信された前記権利情報で既存の前記権利情報の上書きを行った結果を、前記コンテンツ配信サーバに送信する端末通信処理部とを有することを特徴とする。
【００４５】
ここで前記利用制限情報とは、前記コンテンツのコピー可能なコピー回数、又は前記コンテンツの移動可能な移動回数であるようにしてもよい。
【００４６】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、前記電子機器端末は、前記電子機器端末本体又は前記電子機器端末本体に装着されている情報記録媒体に格納されている権利情報を検索し、前記コンテンツ配信サーバから受信するコンテンツの権利情報と一致するものが存在する場合、検索された権利情報を新たに配信された利用制限情報を含む権利情報で上書きする権利情報上書き処理部と、新たに配信された前記権利情報で既存の前記権利情報の上書きを行った結果を前記コンテンツ配信サーバに送信する端末通信処理部とを有し、上書きの場合は無料又は割引料金によって前記コンテンツを受信することを特徴とする。
【００４７】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、前記電子機器端末は、前記電子機器端末本体又は前記電子機器端末本体に装着されている情報記録媒体に新たに配信された権利情報及びコンテンツを書き込む領域が不足していることを検出した場合に、既存の前記権利情報を新たに配信された利用制限情報を含む権利情報で上書きする権利情報上書処理部と、新たに配信された前記権利情報で既存の前記権利情報の上書きを行った結果を前記コンテンツ配信サーバに送信する端末通信処理部とを有し、上書きの場合は無料又は割引料金によって前記コンテンツを受信することを特徴とする。
【００４８】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、前記電子機器端末は、前回の権利情報の配信時刻から見て所定の時間以内であるか否かを判定し、所定の時間以内であれば、前記電子機器端末本体又は前記電子機器端末本体に装着されている情報記録媒体に保持されている前記権利情報を、新たに配信された利用制限情報で上書きする権利情報上書き処理部と、新たに配信された前記権利情報で既存の前記権利情報の上書きを行った結果を送信する端末通信処理部とを有し、上書きの場合は無料又は割引料金によって前記コンテンツを受信することを特徴とする。
【００４９】
ここで前記権利情報上書処理部は、前記コンテンツ配信サーバより配信される時間情報と、前記電子機器端末本体又は前記情報記録媒体に格納されている前記権利情報に含まれる時間情報との比較によって、所定の時間以内であるか否かの判定を行うようにしてもよい。
【００５０】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられる電子機器端末であって、前記電子機器端末は、前回の権利情報の配信時から見て所定の回数以内であるか否かを判定し、所定の回数以内であれば、前記電子機器端末本体又は前記電子機器端末本体に装着されている情報記録媒体に保持されている前記権利情報を、新たに配信された利用制限情報で上書きする権利情報上書き処理部と、新たに配信された前記権利情報で既存の前記権利情報の上書きを行った結果を送信する端末通信処理部とを有し、上書きの場合は無料又は割引料金によって前記コンテンツを受信することを特徴とする。
【００５１】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信サーバであって、コンテンツ配信サーバは、前記電子機器端末のユーザに対して課金処理を行う課金情報処理部を有し、前記課金情報処理部は、前記電子機端末から前記権利情報の上書きを行った結果を受信することに伴い、無料処理又は割引料金処理を行うことを特徴とする。
【００５２】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信サーバであって、前記コンテンツ配信サーバは、配信コンテンツに対する課金処理を行う課金情報処理部と、前記コンテンツの配信履歴を保持する配信履歴データベースと、前記コンテンツの権利情報を作成する権利情報生成部と、前記電子機器端末にコンテンツ及び権利情報を含むデータを送信するサーバ通信処理部とを有し、前記権利権利情報生成部は、前記配信履歴を用いて前記電子機器端末が保持する権利情報のうち新しい権利情報で上書きできる権利情報を検索し、前記サーバ通信処理部を介して前記電子機器端末に検索結果を送付し、前記課金情報処理部は前記電子機端末から前記権利情報の上書きを行った結果を受信することに伴い、無料処理又は割引料金処理を行うことを特徴とする。
【００５３】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信サーバであって、前記コンテンツ配信サーバは、配信コンテンツに対する課金処理を行う課金情報処理部と、前記コンテンツの権利情報を作成する権利情報生成部と、前記電子機器端末にコンテンツ及び権利情報を含むデータを送信するサーバ通信処理部とを有し、前記権利情報生成部は、前記権利情報に含まれる前記コンテンツの利用を制限する利用制限情報を、前記サーバ通信処理部を介して前記電子機器端末に送付し、前記課金情報処理部は、前記電子機端末から前記利用制限情報の上書きを行った結果を受信することに伴い、課金処理を行うことを特徴とする。
【００５４】
ここで前記コンテンツ配信サーバが配信する利用制限情報は、前記コンテンツのコピー可能なコピー回数又は前記コンテンツの移動可能な移動回数であるようにしてもよい。
【００５５】
本発明は、デジタルデータで構成されるコンテンツを配信するコンテンツ配信サーバと、有線及び無線の何れかの通信回線を用いてデータを送受信するデータ通信網と、前記コンテンツの保持機能、前記コンテンツに対する利用制限又は暗号鍵の情報を含む権利情報の保持機能を有する電子機器端末とを具備し、前記電子機器端末からのコンテンツ配信要求に応じて、課金を条件として前記コンテンツ配信サーバから前記通信網を介して前記電子機器端末に前記権利情報及び前記コンテンツを配信するコンテンツ配信システムに用いられるコンテンツ配信サーバであって、前記コンテンツ配信サーバは、配信コンテンツに対する課金処理を行う課金情報処理部と、前記コンテンツの権利情報を作成する権利情報生成部と、前記電子機器端末にコンテンツ及び権利情報を含むデータを送信するサーバ通信処理部とを有し、前記権利情報生成部は、前記権利情報に所定の時間情報を含めた利用制限情報を生成し、前記サーバ通信処理部を介して前記電子機器端末に送付し、前記課金情報処理部は前記電子機器端末から前記利用制限情報の上書きを行った結果を受信することに伴い、無料処理又は割引料金処理を行うことを特徴とする。
【００５６】
ここで前記課金情報処理部は、前記電子機器端末から前記権利情報の上書きを行った結果を受信することに伴い、各種ポイントサービス又は各種クーポン情報を提供する処理を行うようにしてもよい。
【発明の効果】
【００５７】
電子機器端末本体又は情報記録媒体に格納されている権利情報及びコンテンツを、新たに配信された権利情報及びコンテンツで上書する機能をユーザ端末に設け、その機能を用いてコンテンツを配信することで、ユーザは不要となったコンテンツの代わりに新規のコンテンツを割引料金で入手したり、ポイントサービス等の特典付で入手することができる。さらに、電子機器本体又は情報記録媒体における権利情報の格納領域やコンテンツの格納領域の不足を防ぐことが可能となる。また、ユーザは一定の試聴期間を経て、一定額の料金によって好みのコンテンツを確実に入手することも可能となる。さらに、コンテンツプロバイダ及びサービスプロバイダは、ユーザの通信網の利用増加によってデータ通信料金の収益拡大を図ることが可能となる。
【発明を実施するための最良の形態】
【００５８】
以下、図面を用いて本発明の実施の形態について説明するが、これによって本発明の技術範囲が制限されるものではない。
（実施の形態１）
図１は本発明の実施の形態１に係るコンテンツ配信システムの全体概要の一例を示す構成図である。コンテンツ配信システムは、コンテンツプロバイダ１がユーザ２からの要求に応じて、データ通信網１０を介して、ユーザ２にコンテンツを配信するための構成である。コンテンツプロバイダ１はコンテンツ配信サーバ３、配信履歴データベース８、コンテンツデータベース９を含んで構成されている。
【００５９】
コンテンツ配信サーバ３は、ユーザ２に対して配信したコンテンツに対する対価を計算する課金情報処理部５、ユーザ２にコンテンツを配信する際に、各コンテンツに対するコンテンツ情報や利用制限事項等の情報を生成する権利情報生成部６、データ通信網１０に接続するサーバ通信処理部７、及びこれらの機能を制御するサーバ中央処理部４から構成されている。
【００６０】
配信履歴データベース８は各ユーザ２に対する情報、コンテンツの配信履歴、課金情報等の情報を管理するデータベースである。コンテンツデータベース９は、音楽データや、動画像データや、文書データ（書籍コンテンツ）、アプリケーションソフト（ゲームコンテンツ）等のコンテンツで構成されるデジタルデータを保持するものである。このコンテンツは、コンテンツプロバイダ１が作成したデータ、又は他のコンテンツ作成会社から購入し、配信用に構成されたデジタルデータであってもよい。
【００６１】
データ通信網１０は、有線又は無線の構成によるインターネット網や、携帯電話やＰＨＳ事業を行う各社が提供する通信網である。ユーザ２はユーザ端末１１やユーザ端末１１に装着可能な情報記録媒体に対して配信されたコンテンツを格納するものとする。ここではユーザ端末１１を本発明の電子機器端末と呼ぶ。
【００６２】
ユーザ端末１１は、持ち運び可能なＰＤＡ等のモバイル機器、携帯電話、ＰＨＳ、パーソナルコンピュータを含むものとする。ユーザ端末１１は、端末通信処理部１２、端末ＩＤ保持部１３、権利情報上書処理部１４、端末中央処理部１５、表示部１６、情報記録媒体処理部１７、情報記録領域１８（内部メモリ又はハードディスク）を有している。
【００６３】
端末通信処理部１２はデータ通信網１０に接続するための処理部である。端末ＩＤ保持部１３は、ユーザ端末固有のＩＤを保持するものであり、端末が携帯電話やＰＨＳである場合には電話番号を保持するか、又は任意の値を保持する。権利情報上書処理部１４は、配信されたコンテンツを内部メモリの情報記録領域１８や、端末本体に装脱可能な外部メモリである情報記録媒体２１に書き込む際に、既存権利情報の検索や、その既存権利情報に対して上書き処理を行うものである。表示部１６は各種の情報を表示するものである。情報記録媒体処理部１７は、情報記録媒体２１に配信されたコンテンツ及び権利情報を書き込むために、著作権保護機能を有する情報記録媒体に対して特定の処理手順を施すものである。情報記録領域１８は、配信されたコンテンツやコンテンツに対する権利情報を保持することが可能なメモリやハードディスクであり、これらを内部メモリと呼ぶ。端末中央処理部１５はユーザ端末１１の各機能を制御する中央処理部である。
【００６４】
ここで、権利情報の上書きについて説明をする。権利情報の上書きとは、各コンテンツに対する各権利情報を、何らかの情報で上書き（書換え）することである。上書きをする情報としては、例えば乱数であったり、新たな権利情報であったり、権利情報に含まれる一部の情報である。権利情報の一部の情報として利用制限情報がある。これはコンテンツのコピー可能なコピー回数、記録領域の移動を行うときの移動可能な移動回数などである。また他の権利情報として、コンテンツの配信業者を一意に特定できる情報、割引料金が適用される時間情報や日時情報（設定時間）がある。
【００６５】
本実施の形態では、著作権を有する各々のコンテンツは一対一に対応する各々の権利情報によって、例えば暗号化処理されたり、利用を制限（制御）されたりする。このため、電子機器端末による再生や移動等のコンテンツの取り扱いは、権利情報に従うものとする。そのため、コンテンツに対して権利情報のみの上書きを行うことによって、そのコンテンツは電子機器端末により再生不可能になったりする等、取り扱い方法が制御される。一方、新たに配信された権利情報とコンテンツで、既存権利情報と既存コンテンツの上書きを実施することは、権利情報及びコンテンツのサイズが同様であることを前提に、記憶領域の使用量をそのままにして新たなコンテンツに置き換えることが可能となる。
【００６６】
なお、権利情報やコンテンツの上書きに関しては、電子機器端末の仕様により、例えば一旦既存の権利情報やコンテンツを削除し、その後新たな権利情報やコンテンツを格納することで、結果的には権利情報やコンテンツの上書き（置き換え）を行うこともできる。情報記憶領域１８に格納されている権利情報やコンテンツは、容易に取得しコピーできない仕組みを実現するため、ソフトウェア的に耐タンパ化されたモジュールや、ハードウェア的に耐タンパ化された回路で保護される。
【００６７】
情報記録媒体２１は、ユーザ端末機器１１に対して着脱可能であり、デジタルデータを記録することができる不揮発性の半導体メディアである。情報記録媒体２１とホスト機器とは互いに正当な機器であることを認証するための特別な処理手順がある。情報記録媒体２１はこの処理が成功することでアクセス可能な秘匿領域２２と、特別な処理手順を実行する必要なくアクセス可能な非秘匿領域２４とで構成される。情報記録媒体２１として、例えばＳＤ（Ｓｅｃｕｒｅ  Ｄｉｇｉｔａｌ）メモリカードのような高度な著作権保護機能を備えるものがある。
【００６８】
図１では、配信されたコンテンツが格納されている状態を内部メモリの情報記録領域１８に示す。即ち情報記録領域１８の権利情報格納領域に権利情報１９を格納し、コンテンツ格納領域にコンテンツ２０を格納する。一方、情報記録媒体２１の権利情報格納領域である秘匿領域２２に権利情報２３を格納し、コンテンツ格納領域である非秘匿領域２４にコンテンツ２５を格納する。
【００６９】
なお図１では、ユーザ側の記録領域はユーザ端末１１内にコンテンツを保持する内部メモリの情報記憶領域１８と、更にそれらのコンテンツを外部メモリで保持可能な情報記録媒体２１で構成される例を示している。しかし、ユーザ端末１１には配信されたコンテンツを保持する情報記憶領域１８は備えず、コンテンツは図示しない外部メモリ用のＩＦ回路を介して情報記録媒体２１のみに直接保持されるような構成であってもよい。また逆に、ユーザ端末は配信されたコンテンツを保持する内部メモリに情報記憶領域１８は備えるが、コンテンツを保持する外部メモリとして情報記録媒体２１を装着できない構成であってもよい。更には、コンテンツを保持する情報記録領域と、権利情報を保持する記憶領域が同一の媒体に存在しなくてもよい。例えばユーザ端末１１本体内部の情報記憶領域に権利情報を保持し、コンテンツは端末本体に装着可能な情報記録媒体２１に保持する構成でもよい。更に、ユーザ端末１１には複数の情報記録媒体２１を装着可能とし、一方の情報記録媒体に権利情報を保持し、もう一方の情報記録媒体にコンテンツを保持するような構成であってもよい。
【００７０】
図２は配信履歴としてコンテンツ配信サーバが読み込み又は更新を行う配信履歴データベース８の構成の一例を具体的に示した図である。本図に示すように、配信履歴のデータは端末ＩＤ２００、ユーザ情報２０１、配信コンテンツ情報２０２、課金処理情報２０３等の情報で構成されている。端末ＩＤ２００はユーザ端末の保持する固有のＩＤで、ユーザ端末が携帯電話やＰＨＳである場合には電話番号のように、一意にユーザ２を特定できる値である。ユーザ情報２０１はコンテンツ配信を享受するユーザ２に関する情報であって、氏名２１０、住所２１１、更にはユーザ２に対して一意に付加されたＩＤ２１２などの情報で構成されている。
【００７１】
配信コンテンツ情報２０２はユーザ２に配信したコンテンツに関する情報あって、コンテンツが配信された日時の情報である配信日時２１３、一意にコンテンツが識別できる情報であるコンテンツＩＤ２１４、コンテンツの名前であるコンテンツ名２１５等の情報で構成される。課金処理情報２０３はコンテンツ配信に対する対価（料金）の算出を行った結果である各コンテンツの課金情報が記載されている。
【００７２】
コンテンツプロバイダ１は、この課金処理情報に従ってユーザ２に対して月に１度、銀行引き落としやクレジットカードによる料金決済処理を実施する。より具体的には図２では、端末ＩＤが“０８０１２３４５６７８”で、氏名が“ユーザ太郎”で、住所が“大阪府ｘｘｘ町−○”で、ＩＤが“Ａ１２３４Ｂ５６”のユーザ２に対してコンテンツの配信を行った例を示している。例えば、配信コンテンツとしてコンテンツ名が“音楽Ａ１”のコンテンツは、コンテンツＩＤが“ＡＢＣ−１２３４５  ＢＢ１−６７８９０”であり、２００４年１月１日の１８時５４分に配信を実行した履歴が記録されている。また、この配信されたコンテンツは課金処理情報２０３により、３コンテンツがセット価格１０円のコンテンツであり、“音楽Ａ１”のコンテンツは“音楽○”や“音楽黒四角”とセットで購入されていることを示している。
【００７３】
図３はコンテンツに対する権利情報の具体例として、情報記録媒体３１の秘匿領域３２に格納されている権利情報の構成例を示す図である。図３（ａ）では、暗号化鍵情報３０１、コピー可能回数３０２、移動可能回数３０３、利用期限情報３０４、コンテンツ情報３０５などが示されている。暗号化鍵情報３０１はコンテンツを暗号化している鍵情報である。コピー可能回数３０２はコンテンツをコピーすることが可能な回数である。移動可能回数３０３はコンテンツを他の情報記録領域又は情報記録媒体に移動させることが可能な回数である。利用期限情報３０４はコンテンツプロバイダ又はサービスプロバイダが提供するサービス利用期限の設定値である。コンテンツ情報３０５は、非秘匿領域３４に格納されているコンテンツの配信を行ったコンテンツプロバイダ又はサービスプロバイダ、コンテンツのＩＤ、タイトル名などのコンテンツに関する情報である。
【００７４】
図３（ｂ）は権利情報の一例を示している。暗号化鍵情報３０１が“１２３４５６７８９”、コピー可能回数３０２が１回、移動可能回数３０３が３回、利用期限情報３０４が２００４年１月１日の１９時５４分の例を示している。この利用期限情報は、前述のようにコンテンツに関してコンテンツプロバイダ又はサービスプロバイダが提供するサービスの利用期限を設定するものであり、現在時刻がこの利用期限情報の値よりも前である場合には、新しい権利情報で上書きを行うことに使用する。コンテンツ情報３０５としては、コンテンツプロバイダ又はサービスプロバイダが“ＡＢＣ”、コンテンツのＩＤが“Ａ０１２３４Ｂ５６”、タイトル名が“音楽○”の例を示している。
【００７５】
なお、図１で示したユーザ端末１１の情報記録領域１８の権利情報１９も同様の情報で構成されている。更に図３で示した権利情報の構成に限らず、一部又は全ての権利情報が非秘匿領域３１に暗号化又は非暗号化された状態で保持されるものであってもよい。
【００７６】
次に、上記の構成による電子コンテンツ配信システムにおける課金方法について説明する。図４は、図１で示したコンテンツ配信システムについての処理体系の概略図である。コンテンツプロバイダ４０１は、コンテンツ及びコンテンツ配信サーバを備え、インターネット網や電話回線網等のデータ通信網４０２を介して、権利情報及びコンテンツをユーザ４０３に配信する（ステップＳ４１１）。ユーザ４０３のユーザ端末に配信された権利情報及びコンテンツは、既存の権利情報やコンテンツに上書きされる（ステップＳ４１２）。既存の権利情報やコンテンツの上書きを行った結果が、コンテンツプロバイダ４０１に送付される（ステップS４１３）と、新規にコンテンツを配信した場合とは異なる一種の優待特典を付けた課金が実施される（ステップＳ４１４）。ユーザ４０３は、一種の優待特典を享受し、コンテンツに対する対価を支払う（ステップＳ４１５）。このような体系によって、コンテンツプロバイダ４０１は、配信したコンテンツに対する対価を受け取ることができる。
【００７７】
更に図５は、所謂コンテンツを作成するコンテンツプロバイダと、コンテンツプロバイダからコンテンツを取得しユーザに対してコンテンツを配信するサービスプロバイダとが明確に分かれて構成される場合を示している。図５は図１で示したコンテンツプロバイダ１がデータ通信網１０も含んだサービスプロバイダ５０２として構成され、更にそのサービスプロバイダに対してコンテンツのみを配信するコンテンツプロバイダ５０１として構成される場合の処理体系の概略図である。これは、例えば携帯電話やＰＨＳ事業を担う事業者が事業者自身の展開するデータ通信網を介して、別途取得したコンテンツをユーザに配信する等のサービスがその一例である。
【００７８】
コンテンツを保持するコンテンツプロバイダ５０１は、コンテンツをサービスプロバイダ５０２に配信又は納入する（ステップＳ５１１）。サービスプロバイダ５０２はユーザ５０３のリクエストにより通信網を介して権利情報及びコンテンツを配信する（ステップＳ５１２）。ユーザ５０３のユーザ端末に配信された権利情報及びコンテンツは既存の権利情報やコンテンツに上書きされる（ステップＳ５１３）。既存の権利情報やコンテンツの上書きを行った結果がサービスプロバイダ５０２に送付される（ステップＳ５１４）。そして、新規にコンテンツを配信した場合とは異なる一種の優待特典を付けた課金（割引料金）が実施される（ステップＳ５１５）。
【００７９】
ユーザ５０３は一種の優待特典を享受し、通信網の使用代金とコンテンツに対する対価を支払う（ステップＳ５１６）。サービスプロバイダ５０２はコンテンツに対する対価をコンテンツプロバイダ５０１に支払う（ステップＳ５１７）。このような体系では、コンテンツプロバイダ５０１はコンテンツに対する対価を受け取り、サービスプロバイダ５０２はコンテンツに対する対価に加えて、データ転送に対して課金処理を実施している場合には、その対価も受け取ることができる。
【００８０】
このようなコンテンツ配信システムで展開されるより具体的な配信サービス形態の一例を、図６を用いて更に説明する。図６はコンテンツ配信サーバとユーザ端末とのデータ送信を示す概略図である。まず、ユーザ端末を操作することで、コンテンツのリクエストをコンテンツ配信サーバに送信する（ステップＳ６００）。このときユーザ端末の固有ＩＤ等の情報も一緒に送信する。これに対してコンテンツ配信サーバでは、リクエストされたコンテンツに対する情報であるコンテンツＩＤ、プロバイダＩＤ、サイズ等の情報をユーザ端末に送信する（ステップＳ６０１）。コンテンツに関する情報を受信したユーザ端末は、端末内又は端末に装着されている情報記録媒体内の権利情報の上書きを行うことが可能か否かの検索を行う。
【００８１】
ここでの検索とは、プロバイダＩＤより端末本体内又は端末本体に装着可能な情報記録媒体に格納されている権利情報のプロバイダＩＤから同一の情報を検索し、さらにコンテンツＩＤより例えば音楽コンテンツやビデオコンテンツ等から同一種類のコンテンツを検索することである。上書きを行うことが可能な権利情報が検索できた場合には、ユーザに対して既存権利情報の上書きを新しい権利情報で行うことができる旨を示す。そして、ユーザより権利情報に上書きを実施するのかを受け付ける（ステップＳ６０２）。
【００８２】
次に、ユーザ端末よりコンテンツ及び権利情報の配信をコンテンツ配信サーバに要求する（ステップＳ６０３）。コンテンツ配信サーバは、要求されたコンテンツ及び権利情報を配信する（ステップＳ６０４）。ユーザ端末では配信された権利情報で既存の権利情報の上書きを行い（ステップＳ６０５）、コンテンツの置き換えを行う。既存権利情報の上書きを行った結果として、上書きされたコンテンツの権利情報がコンテンツ配信サーバに送信される（ステップＳ６０６）。コンテンツ配信サーバでは、送信された権利情報からユーザ端末が保持していた権利情報が新しい権利情報で上書きされたことを確認することによって、通常の料金よりも割り引いた料金の課金処理を実施する（ステップＳ６０７）。
【００８３】
更に以下では、コンテンツ配信サーバ及びユーザ端末の個々の動作について詳しく説明する。図７は、図４及び図５で示した処理体系を実現するため、図１の構成でのコンテンツ配信サーバの具体的な動作処理について示したフローチャートである。まず、コンテンツ配信サーバはユーザ５０３（又は４０３）から、配信を希望するコンテンツのリクエストを受信する（ステップＳ７００）。このとき、端末固有のＩＤの情報も受信する。次に、受信した端末固有のＩＤによって、ユーザの情報を配信履歴データベース８から検索する（ステップＳ７０１）。
【００８４】
次に、ユーザからのリクエストに対する配信用のコンテンツを検索する（ステップＳ７０２）。このように検索されたユーザへの配信履歴と配信用コンテンツから、コンテンツの配信が可能か否かの判断を行う（ステップＳ７０３）。これは、例えば、コンテンツ配信サーバ及びコンテンツ配信サービス側で把握している個々のユーザに対する制限事項（サービス供給停止、受信端末の仕様制限）等に該当するか否かの判断を行うことである。このステップＳ７０３において、ユーザに対するコンテンツの配信が可能でないと判断した場合には、コンテンツ配信の処理は終了する。
【００８５】
ユーザに対するコンテンツ配信が可能であると判断した場合には、次に、プロバイダＩＤ、コンテンツＩＤ、データサイズ等のコンテンツの情報をユーザ端末に送付する（ステップＳ７０４）。次に、ユーザ端末よりコンテンツの配信要求を受信し、ユーザ端末へコンテンツの配信を実施する（ステップＳ７０５、ステップＳ７０６）。次に、ユーザ端末で権利情報及びコンテンツの書き込みを行った結果の情報を受信する（ステップＳ７０７）。このユーザ端末での書き込みを行った結果の情報から、ユーザ端末が保持する既存コンテンツ及び権利情報へ上書きを実施したか否かを判断する（ステップＳ７０８）。
【００８６】
まず、ステップＳ７０８において、既存コンテンツ及び権利情報の上書きを実施しなかった場合の処理について説明する。この場合には、配信したコンテンツに対して予め定められた課金を実施する（ステップＳ７１１）。それらの課金情報は配信履歴として保存される（ステップＳ７１０）。
【００８７】
次に、ステップＳ７０８において、既存コンテンツ及び権利情報の上書きを実施した場合の処理について説明する。この場合には、優待特典を付加した課金処理を実施する（ステップＳ７０９）。ここでの優待特典とは、コンテンツに対する課金が、上記の既存コンテンツ及び権利情報の上書きを実施しなかった場合の料金に比べて、一定額割り引かれた料金になっていること、一定のサービスポイントが付加されること、各種のサービスクーポンが配布されることなどである。次に、それらの優待特定の情報も含めて配信履歴を更新する（ステップＳ７１０）。なお、このときユーザ端末から受信した上書きを実施した既存権利情報も配信履歴に記録しておいても構わない。
【００８８】
次に、端末の具体的な動作処理について、図８及び図９を用いて説明する。まずユーザは端末を操作し、希望のコンテンツを選択する。端末はサーバに対して選択したコンテンツの情報を送信する（ステップＳ８００）。その際に端末はユーザ端末の固有のＩＤ情報も送信する。次に端末は、希望するコンテンツに関する情報であるプロバイダＩＤ、コンテンツＩＤ、コンテンツサイズ等の情報を、サーバより受信する（ステップＳ８０１）。次に、端末本体内に保持している権利情報、又は端末本体に装着可能な情報記録媒体に保持されている権利情報を検索する（ステップＳ８０２）。検索した結果と受信したコンテンツに関する情報から、同一のプロバイダＩＤがあり、コンテンツＩＤより同一種類のコンテンツであると判断した場合には、端末本体内又は端末本体に装着可能な情報記録媒体に上書きを実施できる権利情報が存在すると判断する。こうして上書きを実施する権利情報の有無を判断する（ステップＳ８０３）。
【００８９】
なお、ここでの上書きを実施できる権利情報の有無を判断する方法として、権利情報に含まれるコピー可能なコピー回数が、サーバより配信されたコンテンツに関するコピー回数と同様か否かで判断する方法であってもよい。更には、上書きを実施できる権利情報の有無を判断する方法として、権利情報に含まれる移動可能な移動回数が、サーバより配信されたコンテンツに関する移動回数と同様か否かで判断する方法であってもよい。更には、上書きを実施できる権利情報の有無を判断する方法として、サーバより１つ以上のコンテンツＩＤを受信し、権利情報に含まれるコンテンツＩＤと同様か否かを判断する方法であってもよい。更には、上書きを実施できる権利情報の有無を判断する方法として、サーバより１つ以上のコンテンツのタイトル名を受信し、権利情報に含まれるコンテンツのタイトル名と同様か否かを判断する方法であってもよい。
【００９０】
まず、端末本体内又は端末本体に装着可能な情報記録媒体に保持している権利情報に対して、上書きできる権利情報が存在しない場合について説明する。この場合はステップＳ８０５に進む。ステップＳ９００〜Ｓ９０３はステップＳ８０５において新規にコンテンツを購入する場合の処理を示すフローチャートである。ここでは端末本体内又は情報記録媒体の権利情報格納領域及びコンテンツ格納領域に、配信されたデータを格納するだけの空き領域があるか否かのチェックを行う（ステップＳ９００）。空き領域がない場合には処理を終了する。一方、空き領域がある場合には、権利情報及びコンテンツを受信する（ステップＳ９０１）。受信した権利情報及びコンテンツは端末本体内部又は端末本体に装着可能な情報記録媒体に書き込まれる（ステップＳ９０２）。次に、これらの処理を行った結果及び上書きを行う前の権利情報をサーバ側に送信する（ステップＳ９０３）。
【００９１】
次に端末本体又は端末本体に装着可能な情報記録媒体に保持している権利情報を上書きできる権利情報が存在する場合について説明する（ステップＳ８０３）。この場合は、端末は購入方法の選択を促す表示を出力する（ステップＳ８０４）。ユーザは出力された購入方法のうち１つを選択する（ステップＳ８０６）。
【００９２】
新規にコンテンツを購入する処理を選択した場合には、図８で示した処理と同様の処理となる。この場合の処理内容は図８と同様であるため、説明は割愛する。一方、既存権利情報を上書きする処理を選択した場合には、図９に示す処理に移り、端末は権利情報を上書きすることが可能なコンテンツのリストを表示する（ステップＳ８０７）。端末は表示したリストからユーザが選択したコンテンツの情報を受け付ける（ステップＳ８０８）。次に、ユーザが選択したコンテンツが端末本体又は端末本体に装着可能な情報記録媒体に格納できるか否かを検証する（ステップＳ８０９）。格納できる場合には、権利情報及びコンテンツをサーバより受信し（ステップＳ８１０）、既存コンテンツのうち権利情報を上書きするコンテンツを削除する（ステップＳ８１１）。
【００９３】
次に、既存権利情報を受信した権利情報で上書きし、コンテンツの書き込みを行う（ステップＳ８１２）。そして、書き込んだ結果及び上書きを行う前の権利情報をサーバに送信する（ステップＳ８１３）。なお、ここではステップＳ８１０でコンテンツを受信し、ステップＳ８１１で既存コンテンツを削除する例を示したが、既存コンテンツを先に削除し、削除後にコンテンツを受信する方法であっても構わない。更に、権利情報のコンテンツ配信サーバへの送信は、暗号処理を施す等の安全な仕組みを介して送信される方法であっても良い。またその際に権利情報ではなく、消去したコンテンツを一意に特定できる情報であっても良い。
【００９４】
このような端末の処理について、端末本体又は端末本体に装着可能な情報記録媒体の権利情報を上書きする場合での端末画面出力の一例を図１０に示す。図１０の（ａ）はユーザがコンテンツを選択する画面であり、ユーザは希望するコンテンツを選択する。（ｂ）はユーザが選択したコンテンツで権利情報の上書きが実施できる場合に出力される画面の一例を示している。図中（ｂ）で“チェンジ購入”と示しているのは、既存の権利情報を新しい権利情報で上書きする場合の購入方法を示している。このようなコンテンツの購入方法を選択した場合では例えば５円で購入できる。一方、既存の権利情報を新しい権利情報で上書きしない場合には例えば１０円で購入できる。つまり、ここでの優待特典は５円の割引ということになる。（ｃ）では、既存の権利情報を新しい権利情報で上書きする購入方法（前述の“チェンジ購入”）を選択した場合に、権利情報を上書きすることが可能なコンテンツのリストが表示されている例を示している。これらのリストに表示されているコンテンツのうち１つを選択すると、（ｄ）に示すような既存の権利情報やコンテンツの上書きを実施する問い合わせを経て、権利情報及びコンテンツの上書きを実施することができる。
【００９５】
以上のような実施の形態１に係るコンテンツ配信によれば、ユーザは既存の権利情報を新たな権利情報で上書きすることを条件に、割引料金で購入できる等の優待特典のサービスを享受することができる。なお、権利情報の上書きを実施する機能を利用して、次のようなサービス形態も本特許の範囲に含まれる。
【００９６】
（１）コンテンツに対する対価が割引になる割合や、サービスポイントの提供の割合は、より最近に配信された権利情報に対して上書きを行った場合は高く、最近にあまり配信されていない権利情報に対して上書きを行った場合には低くなるようなサービスも可能である。より具体的には、コンテンツ配信サーバの配信履歴を記録する際に、配信履歴データを元に前述の課金処理を実施する方法や、電子機器端末本体又は電子機器端末本体に装着可能な情報記録媒体の権利情報に含まれる配信日時データをコンテンツ配信サーバに送付する。例えば権利情報の上書きを行ったコンテンツが１週間以内に配信された権利情報であれば、割引やサービスポイントを提供し、１週間以降に配信された権利情報であれば、割引やサービスポイントを提供しないという方法が考えられる。更に、コンテンツに対する対価が割引になる割合や、サービスポイントの提供の割合は、前述の内容とは逆に、より最近に配信された権利情報に対して上書きを行った場合は低く、最近にあまり配信されていない権利情報に対して上書きを行った場合には高くなるようなサービスも可能である。
【００９７】
（２）例えば書籍コンテンツ配信に関することであって、分割配信を実施するサービスも可能である。この場合、著作権保護された書籍コンテンツがサーバで分割して保存される。ユーザが希望する書籍コンテンツが配信され、その際にコンテンツを一意に示すＩＤも送付される。ユーザ端末では、配信された書籍コンテンツの閲覧が終わると、次ページ以降のデータ配信のリクエストをサーバ側に送付する。次ページ以降の配信された書籍コンテンツは、既存権利情報や既存コンテンツに上書きされる。これにより、ユーザ端末でのデータ記録容量が少なくても、大容量コンテンツを受信することが可能となる。
【００９８】
（３）ユーザが保持する既存コンテンツの権利情報のうち、権利情報の一部のみを書き換えるサービスを実施することも可能である。具体的には、権利情報に含まれる移動回数が“０回”となっているコンテンツを購入し保持している場合に、移動回数“２回“という権利のみを販売するものであって、ユーザの要求によって、コンテンツは伴わないものの既存コンテンツの移動回数のみを販売するものである。これにより、ユーザ端末では、コンテンツを再度ダウンロードする手間なく、権利情報に含まれる制御情報のみを取得することができる。
【００９９】
なお、本実施の形態１では、外部メモリである情報記録媒体として半導体メディアの例を示したが、半導体メディアに限らず、権利情報を伴ったコンテンツを安全に保持する著作権保護機能を備えたものなら他の記録媒体であっても構わない。また端末本体又は端末本体に装着可能な情報記録媒体に格納されている権利情報の検索を行う方法について示したが、前述のように、端末内に記憶領域がない場合等、権利情報が端末本体内の記録領域又は端末本体に装着可能な情報記録媒体のどちらか一方にのみ格納されている場合には、格納されている権利情報の検索だけを行うのは言うまでもない。また端末本体内の記憶領域又は端末本体に装着可能な情報記録媒体の両方に権利情報が格納される構成であっても、どちらか一方のみの権利情報の検索を行い、一方のみの権利情報の上書きを実施する形態であってもよい。既存コンテンツのうち権利情報の上書きを実施できるデータがある場合は、必ずその権利情報の上書きを実施するか否かについて示す例を示した。しかし、既存コンテンツのうち権利情報の上書きを実施するのは、受信しようとするコンテンツを新たに格納する領域が端末側にないことを条件として実施される方法であってもよい。
【０１００】
更に本実施の形態では、権利情報を上書きしたことに関する証明結果として、新たな権利情報によって上書きされる権利情報をコンテンツ配信サーバに送信する例を示した。しかし、権利情報の上書きを実施する前のユーザ端末内にある権利情報の一覧リストと、権利情報の上書きを実施した後のユーザ端末内にある権利情報の一覧リストとに関し、両方又は一方をコンテンツ配信サーバに送信する方法であっても良い。更に権利情報を初めとするコンテンツ配信サーバとユーザ端末とのやり取りには、暗号化処理や認証処理を含め安全な情報交換方法を用いるものであっても良い。
【０１０１】
（実施の形態２）
本発明の実施の形態２として、図１、図４、図５で示したコンテンツ配信システムにおいて、別の課金方法におけるサービス形態の一例として、実施の形態１とは異なる方法について説明する。図１１は実施の形態２におけるコンテンツ配信サーバとユーザ端末とのデータ送信の概略を示した説明図である。
【０１０２】
まず、ユーザ端末を操作することで、コンテンツのリクエストをコンテンツサーバに送信する（ステップＳ１１００）。コンテンツ配信サーバではリクエストされたコンテンツに対する情報の他に、現在時刻の情報をユーザ端末に送信する（ステップＳ１１０１）。現在時刻を受信した端末は、既存権利情報の上書きを行うことが可能か否かの検索を行う。ここでの検索は、既存権利情報に含まれる利用期限情報と比較し、現在時刻が利用権利情報の時間よりも前の時間であれば、既存権利情報の上書きができると判断する方法である（ステップＳ１１０２）。
【０１０３】
次に、ユーザ端末よりコンテンツ及び権利情報の配信をコンテンツ配信サーバに要求する（ステップＳ１１０３）。コンテンツ配信サーバは要求されたコンテンツ及び権利情報を配信する（ステップＳ１１０４）。ユーザ端末では配信された権利情報で既存の権利情報の上書きを行い、コンテンツの置き換えを行う（ステップＳ１１０５）。既存コンテンツの上書きを行った結果として、上書きされたコンテンツの権利情報がコンテンツ配信サーバに送信される（ステップＳ１１０６）。コンテンツ配信サーバでは、送信された権利情報より、ユーザ端末が保持していた権利情報が新しい権利情報で上書きされたことを確認することによって、新規に配信したコンテンツに対する課金を無料とする（ステップＳ１１０７）。このように利用期限内であれば、コンテンツに対する課金を無料とすることで、ユーザは保持できる権利情報の数は一定のまま、様々なコンテンツを試聴することが可能なサービスを展開することができる。
【０１０４】
次に、このようなサービスを行う場合のコンテンツ配信サーバ及びユーザ端末の動作について詳しく説明する。図１２は、コンテンツプロバイダ又はサービスプロバイダにおけるコンテンツ配信サーバの具体的な動作処理について示す図である。まず、コンテンツ配信サーバはユーザから配信を希望するコンテンツのリクエストを受信する（ステップＳ１２００）。このとき、端末固有のＩＤの情報も受信する。次に、受信した端末固有のＩＤによって、ユーザの情報を配信履歴から検索する（ステップＳ１２０１）。
【０１０５】
次に、ユーザからのリクエストに対する配信用コンテンツを検索する（ステップＳ１２０２）。このように検索されたユーザへの配信履歴と配信用コンテンツから、コンテンツの配信が可能か否かの判断を行う（ステップＳ１２０３）。これは、例えばコンテンツ配信サーバ及びコンテンツ配信サービス側で把握している個々のユーザに対する制限事項（サービス供給停止、受信端末の仕様制限）等に該当するか否かの判断を行うことである。このステップＳ１２０３において、コンテンツの配信が可能でないと判断された場合には、コンテンツ配信の処理は終了する。一方、コンテンツの配信が可能であると判断した場合には、現在時刻やコンテンツ情報をユーザ端末に送付する（ステップＳ１２０４）。これは、ユーザ端末において既存権利情報との比較を行うためである。
【０１０６】
次に、ユーザ端末よりコンテンツの配信要求を受信し、ユーザ端末へコンテンツの配信を実施する（ステップＳ１２０５、ステップＳ１２０６）。次に、ユーザ端末で権利情報及びコンテンツの書き込みを行った結果の情報を受信する（ステップＳ１２０７）。このユーザ端末で行った結果の情報から、コンテンツ配信サーバの許可する一定期間内であれば、課金を無料に設定する課金処理を実施する（ステップＳ１２０８）。それらの課金情報は配信履歴として更新、保存される（ステップＳ１２０９）。なお、ここでは課金を無料に設定することについて説明したが、一定期間内であれば格安にコンテンツが入手できる方法や、一定期間内であればサービスポイントが付加される方法や、一定期間内であれば各種のサービスクーポンが配布される方法であってもよい。
【０１０７】
次に端末の具体的な動作処理について、図１３〜図１５を用いて説明する。まず端末を操作するユーザが希望のコンテンツを選択し、サーバに対して選択したコンテンツの情報を送信する（ステップＳ１３０１）。その際に端末はユーザ端末の固有のＩＤ情報も送信する。次に、サーバより希望するコンテンツに関する情報であるコンテンツＩＤ、権利情報、コンテンツ名、配信時間、プロバイダＩＤ、課金処理の有無等、現在時刻の情報等を受信する（ステップＳ１３０２）。
【０１０８】
次に、ユーザ端末では端末本体内に保持している権利情報、又は端末本体に装着可能な情報記録媒体に保持されている権利情報を検索する（ステップＳ１３０３）。検索した結果と受信したコンテンツの情報を元に、ユーザがどのような形態でコンテンツを購入するのか選択するための購入情報の入力表示が必要か否かを判断する（ステップＳ１３０４）。ここで、購入情報の入力表示が必要ない場合とは、ユーザが選択したコンテンツに対しては課金処理が必要ない場合である。即ち、後述するような複数のコンテンツを購入し、初回以降に新たなコンテンツの配信要求をする場合等である。購入情報の入力表示が必要な場合とは、これら以外の場合である。
【０１０９】
まず、上記のステップＳ１３０４において、購入情報の入力表示が必要である場合について説明する。この場合には購入方法の選択を促す表示を行う（ステップＳ１３０７）。そこで、ユーザから購入方法の入力を受け付ける（ステップＳ１３０８）。ここで、新規にコンテンツを購入することを選択した場合にはステップＳ１３０９に進み、図１４で示す処理を行う。図１４の処理はステップＳ１４０４以降の処理を除いて、実施の形態１の図９で示した処理と同様であり、ステップＳ１４０４以降の処理については後述する。
【０１１０】
図１３のステップＳ１３０８において、既存権利情報を書き換えることを選択した場合にはステップＳ１３１０に進み、図１５で示す処理を行う。図１５は図１２のステップＳ１３１０を詳細に記述したフローチャートである。図１５の処理内容は実施の形態１での図８のステップＳ８０７〜Ｓ８１３までの処理と同様であるため、ここでの説明は割愛する。図１３のステップＳ１３０８において、複数コンテンツを購入することを選択した場合には、図１４で示す処理を行う。図１４は図３のステップＳ１３０９を詳細に記述したフローチャートである。図１４での処理は実施の形態１での図９のステップＳ９００〜ステップＳ９０３の処理内容と同様であるが、ステップＳ１４０４の処理が加わることが異なる。ここの処理では、複数のコンテンツを購入することを選択しているため、購入するコンテンツ数に達しているか否かの検証を行う。購入するコンテンツ数に達していれば処理は終了し、達していなければステップＳ１４０５、即ち図１３のステップＳ１３００以降の処理に戻る。
【０１１１】
次に、図１３のステップＳ１３０４において、購入情報の入力表示が必要でない場合について説明する。この場合には、検索した結果と受信したコンテンツに関する情報から、端末本体又は端末本体に装着可能な情報記録媒体に上書きを実施できる権利情報の有無を判断する（ステップＳ１３０５）。ここでの判断方法は前述のように、コンテンツ配信サーバより受信した現在時刻と端末本体又は端末本体に装着可能な情報記録媒体内の権利情報に含まれる利用期限情報と比較し、現在時刻が利用権利情報の時間よりも前の時間であれば、権利情報の上書きができると判断する方法である。
【０１１２】
このステップＳ１３０５において、既存コンテンツの権利情報を上書きする場合には、図１５で示す処理を行う。図１５は図１３のステップＳ１３０６を詳細に記述したフローチャートである。図１５の処理内容は実施の形態１での図８のステップＳ８０７からＳ８１３と同様であるため、ここでの説明は割愛する。図１３のステップＳ１３０５において、既存コンテンツの権利情報の上書きをしない場合には、ステップＳ１３０９の処理、即ち図１４で示す処理を行う。図１４の処理は前述と同様であるため、ここでの説明は割愛する。
【０１１３】
以上のような端末の処理について、端末の画面出力の一例を図１６に示す。図１６の（ａ）はユーザがコンテンツを選択する画面であり、ユーザは希望するコンテンツを選択する。（ｂ）はユーザが選択したコンテンツで複数コンテンツの購入が可能である場合に出力される画面の一例を示している。図中（ｂ）で、“３コンテンツ購入”と示しているのは、２５円で３コンテンツが購入できることを示している。このようにしてユーザが選択すると、（ｃ）に示しているように６０分間であれば何度でも３コンテンツまで受信することができるような表示が出力される。
【０１１４】
図１７は図１６のような複数コンテンツの購入を選択した場合の、３コンテンツ目以降のコンテンツを取得する際の画面の一例を示している。図１７の（ａ）はユーザがコンテンツを選択する画面であり、ユーザは希望するコンテンツを選択する。（ｂ）は既存のコンテンツのうち、複数コンテンツを購入した場合で試聴期間内に該当するコンテンツのリストを示している。ユーザは試聴期間内であれば、既存の権利情報及びコンテンツを新しい権利情報及びコンテンツで上書きすることができる。（ｃ）は既存のコンテンツの中から新しい権利情報で上書きを実施するコンテンツを選択した場合の表示である。
【０１１５】
以上のように本実施の形態のコンテンツ配信方法によれば、ユーザは既存の権利情報を新たな権利情報で上書きすることを条件に、いくつかのコンテンツの試聴を経て、気に入ったコンテンツのみを入手することができる。なお、コンテンツの試聴を経て、気に入ったコンテンツのみを入手することが可能なサービスの形態として、次のようなサービス形態も本発明の範囲に含まれる。
【０１１６】
（１）図１８はコンテンツ配信サーバが備える配信履歴の一例を示した図である。図中利用期間１８０４を除く端末ＩＤ１８０１〜コンテンツ名１８１５は実施の形態１の図２で示した内容と同様であるため、ここでの説明は割愛する。利用時間１８０４はコンテンツ配信のサービスを利用できる期間として使用する値である。これは、コンテンツの種類に応じて設定される値であり、この期間内であれば、権利情報の上書きを条件として無料配信を可能とする期間である。例えば、端末ＩＤ“０８０１２３４５６７８“のユーザは、３セットコンテンツとして“音楽Ａ１”、“音楽○”、“音楽黒四角”を２５円で購入していることを示している。このコンテンツに関する利用期間は“２００４／０１／０１  １９：５４”となっている。ここで、このコンテンツに限らず３コンテンツであれば、２００４年１月１日の１９時５４分まではサービスプロバイダが提供するサービスを利用可能な時間とし、端末ＩＤ“０８０１２３４５６７８“のユーザは、何度でもコンテンツを再ダウンロードすることが可能となる。このように、ユーザ端末からのコンテンツリクエストに対して、コンテンツ配信サーバ側で権利情報の上書きを実施できるコンテンツを判断し、ユーザ端末に対してそのコンテンツの情報を配信することも可能である。
【０１１７】
（２）時間情報を利用するだけでなく、回数制限を設けてコンテンツの試聴サービスを行うことも可能である。より具体的には、図示はしていないが、既存権利情報にカウンタ値を設け、権利情報の上書きを実施する度に、前記カウンタ値をデクリメントすることによって書換可能回数を制限する方法も可能である。さらに、書換可能回数がコンテンツ配信サーバに管理される配信履歴によって管理され、書換可能回数を制限することも可能である。さらに、これらの書換可能回数によるコンテンツの受信可能回数の設定と、利用制限時間の設定の両方を使用する方法も可能である。なお、特にコンテンツ配信サーバとユーザ端末の書換回数の管理方法として、書換回数を書き換える前の段階の数字と、書換回数を書き換えた後の段階の数字を、ユーザ端末からコンテンツ配信サーバに送信する方法であっても良い。
【０１１８】
（３）試聴可能期間に配信されるコンテンツは、本来配信されるコンテンツよりも、情報が欠落した状態とすることも可能である。図示はしていないが、例えば音楽コンテンツの場合には、本来配信するコンテンツよりも低ビットレートでデータサイズが小さくなるデータを配信することで、より短時間に配信を可能とする。また、ユーザが試聴期間内に最終的に取得したコンテンツは、試聴期間終了後に本来のビットレートで配信し直すコンテンツ配信システムを実現することも可能である。
【０１１９】
なお、この実施の形態２では、外部メモリである情報記録媒体として半導体メディアの例を示したが、半導体メディアに限らず、権利情報を伴ったコンテンツを安全に保持する著作権保護機能を備えた記録媒体であれば他のものでも構わない。さらに、端末本体内又は端末本体に装着可能な情報記録媒体に格納されている権利情報の検索を行う方法について示したが、実施の形態１の図１で説明している構成と同様に、端末本体内には記憶領域がない場合等、権利情報が端末本体内の記憶領域、又は端末本体に装着可能な情報記録媒体のどちらか一方に格納されて構成されている場合には、格納されている権利情報の検索だけを行うこというまでもない。
【０１２０】
また端末本体内の記憶領域及び端末本体に装着可能な情報記録媒体の両方に権利情報が格納される場合であっても、どちらか一方のみの権利情報の検索を行い、一方のみの権利情報の上書きを実施する方法であってもよい。更に本実施の形態では権利情報の上書きを実施したことに関する証明結果として、新たな権利情報によって上書きされる権利情報をコンテンツ配信サーバに送信する例を示した。しかし権利情報の上書きを実施する前のユーザ端末にある権利情報の一覧リストと、権利情報の上書きを実施した後のユーザ端末にある権利情報の一覧リストを、両方又は一方をコンテンツ配信サーバに送信する方法でも良い。また消去したコンテンツを一意に特定できる情報を送信する方法であっても良い。更に権利情報を初めとする本実施の形態におけるコンテンツ配信サーバとユーザ端末とのやり取りには、暗号化処理や認証処理を含むセキュアな情報交換方法を用いるものであっても良い。また実施の形態１と実施の形態２で示されるサービスが両方展開される方法であっても構わない。
【産業上の利用可能性】
【０１２１】
本発明にかかるコンテンツ配信方法及びコンテンツ配信システムによれば、配信コンテンツが電子機器端末又は情報記録媒体に上書きされる場合は、無料又は割引料金にしているので、ユーザは享受したいコンテンツのみを自由に取り込むことができる。またコンテンツプロバイダが様々なサービス展開を行うことにより、コンテンツの流通を増大させることができる。このようなコンテンツ配信方法及びコンテンツ配信システムは、携帯電話のコンテンツプロバイダに好適に利用でき、またコンテンツデータベースを持つ携帯電話サービス会社にも積極的に利用される。いずれの場合もデータ通信網のデータ転送量が増加するので、回線を敷設又は管理する回線インフラストラクチャー部門に良い経済効果をもたらす。
【図面の簡単な説明】
【０１２２】
【図１】本発明の実施の形態１におけるコンテンツ配信システムの全体構成を示した図である。
【図２】本発明の実施の形態１における配信履歴を示した図である。
【図３】本発明の実施の形態１における権利情報の構成を示した図である。
【図４】本発明の実施の形態１におけるコンテンツ配信システムの課金処理の第１の例を示した図である。
【図５】本発明の実施の形態１におけるコンテンツ配信システムの課金処理の第２の例を示した図である。
【図６】本発明の実施の形態１におけるコンテンツ配信システムの処理シーケンスを示す説明図である。
【図７】本発明の実施の形態１におけるコンテンツ配信サーバの処理手順を示すフローチャートである。
【図８】本発明の実施の形態１における端末の処理手順を示す第１のフローチャートである。
【図９】本発明の実施の形態１における端末の処理手順を示す第２のフローチャートである。
【図１０】本発明の実施の形態１における端末の表示例を示す説明図である。
【図１１】本発明の実施の形態２におけるコンテンツ配信システムの処理シーケンスの説明図である。
【図１２】本発明の実施の形態２におけるコンテンツ配信サーバの処理手順を示すフローチャートである。
【図１３】本発明の実施の形態２における端末の処理手順を示す第１のフローチャートである。
【図１４】本発明の実施の形態２における端末の処理手順を示す第２のフローチャートである。
【図１５】本発明の実施の形態２における端末の処理手順を示す第３のフローチャートである。
【図１６】本発明の実施の形態２における端末の第１の表示例を示す説明図である。
【図１７】本発明の実施の形態２における端末の第２の表示例を示す説明図である。
【図１８】本発明の実施の形態２における配信履歴を示した説明図である。
【符号の説明】
【０１２３】
１，４０１，５０１  コンテンツプロバイダ
２，４０３，５０３  ユーザ
３  コンテンツ配信サーバ
４  サーバ中央処理部
５  課金情報処理部
６  権利情報生成部
７  サーバ通信処理部
８  配信履歴データベース
９  コンテンツデータベース
１０、４０２、５０３  データ通信網
１１  ユーザ端末
１２  端末通信処理部
１３  端末ＩＤ保持部
１４  権利情報上書処理部
１５  端末中央処理部
１６  表示部
１７  情報記録媒体処理部
１８  情報記憶領域
１９、２３、３３  権利情報
２０、２５、３５  コンテンツ
２１、３１  情報記録媒体
２２、３２  秘匿領域
２４、３４  非秘匿領域
２００、１８００  端末ＩＤ
２０１、１８０１  ユーザ情報
２０２、１８０２  配信コンテンツ情報
２０３、１８０３  課金処理情報
２１０、１８１０  氏名
２１１、１８１１  住所
２１２、１８１２  ＩＤ
２１３、１８１３  配信日時
２１４、１８１４  コンテンツＩＤ
２１５、１８１５  コンテンツ名
３０１  暗号化鍵情報
３０２  コピー可能回数
３０３  移動可能回数
３０４  利用期限情報
３０５  コンテンツ情報
５０２  サービスプロバイダ
１８０４  利用期限
【図１】
2005174180.tif 000003
【図２】
2005174180.tif 000004
【図３】
2005174180.tif 000005
【図４】
2005174180.tif 000006
【図５】
2005174180.tif 000007
【図６】
2005174180.tif 000008
【図７】
2005174180.tif 000009
【図８】
2005174180.tif 000010
【図９】
2005174180.tif 000011
【図１０】
2005174180.tif 000012
【図１１】
2005174180.tif 000013
【図１２】
2005174180.tif 000014
【図１３】
2005174180.tif 000015
【図１４】
2005174180.tif 000016
【図１５】
2005174180.tif 000017
【図１６】
2005174180.tif 000018
【図１７】
2005174180.tif 000019
【図１８】
2005174180.tif 000020